(57)【要約】      （修正有）【課題】誰でも簡単にロールホルダーに組み込むことができ、初めての利用であっても一目でその使用法を理解し、戸惑うことなく円滑に利用することができる新たなロールホルダー用の追加型カッターを提供する。【解決手段】カッター部Ｂ５を有する上蓋Ｂをロールペーパー用装着軸Ｃ上がわに軸着したロールホルダーＡの、上蓋Ｂ表面Ｂ１に、重ね合わせ配置可能な積層壁部２、および、積層壁部２から延伸した庇状部４からなるカッター本体１０を有し、積層壁部２の適所に上蓋Ｂに固着可能な固着機構３を設け、積層壁部２を、上蓋Ｂ表面Ｂ１に固着機構３を介して積層状に固定した場合に、庇状部４を、上蓋Ｂカッター部Ｂ５を超える水平長寸法Ｌ３に設定し、その遊端縁４０に、ロールホルダーＡカッター部Ｂ５幅と略同等に設定した新設カッター部４１を設けてなる。【選択図】図４
0003193234.tif 000002
【実用新案登録請求の範囲】
【請求項１】
基端をロールペーパー用装着軸上がわに軸着し、当該カッター部がわを上下方向揺動自在とするようにしてなるロールホルダーにおける上蓋に対し、その表面に積層状に重ね合わせ配置可能な積層壁部、および、同積層壁部から当該カッター部を超えて延伸した庇状部からなるカッター本体を有し、該積層壁部の適所に、当該ロールホルダーの上蓋に固着可能な固着機構を設け、該積層壁部を、当該上蓋表面に該固着機構を介して積層状に固定した場合に、同庇状部が、少なくとも当該装着軸に装着した場合の対象ロールペーパー使用開始時の水平最大半径位置上か、または、それよりも外がわの位置に達する水平姿勢長寸法に設定し、その遊端縁に、当該ロールホルダーカッター部幅と略同等に設定した新設カッター部を設けてなるものとしたことを特徴とするロールホルダー用追加型カッター。
【請求項２】
遊端縁がカッター部を形成する上蓋の基端を、ロールペーパー用装着軸上がわに軸着すると共に、当該カッター部がわを上下方向揺動自在とするようにしてなるロールホルダーの、該上蓋のロールペーパーとの接触がわである裏面とは反対がわに位置する表面に積層状に重ね合わせ配置可能な積層壁部、および、同積層壁部から当該カッター部を超えて延伸した庇状部からなるカッター本体を有し、該積層壁部の適所に、当該ロールホルダーの上蓋に固着可能な固着機構を設け、該積層壁部を、当該上蓋表面に該固着機構を介して積層状に固定した場合に、同庇状部が、少なくとも当該装着軸に装着した場合の対象ロールペーパー使用開始時の水平最大半径位置上か、または、それよりも外がわの位置に達する水平姿勢長寸法に設定し、その遊端縁に、当該ロールホルダーカッター部幅と略同等に設定した新設カッター部を設けてなるものとしたことを特徴とするロールホルダー用追加型カッター。
【請求項３】
基端をロールペーパー用装着軸上がわに軸着し、当該カッター部がわを上下方向揺動自在とするようにしてなるロールホルダーにおける上蓋に対し、その表面に積層状に重ね合わせ配置可能な積層壁部、および、同積層壁部から当該カッター部を超えて延伸した庇状部からなるカッター本体を有し、該積層壁部の適所に、当該ロールホルダーの上蓋に固着可能な固着機構を設け、該積層壁部を、当該上蓋表面に該固着機構を介して積層状に固定した場合に、同庇状部が、少なくとも当該装着軸に装着した場合の対象ロールペーパー使用開始時の水平最大半径位置上を超える水平姿勢長寸法に設定し、その遊端縁に、当該ロールホルダーカッター部幅と略同等に設定した新設カッター部を設けてなるものとしたことを特徴とするロールホルダー用追加型カッター。
【請求項４】
基端をロールペーパー用装着軸上がわに軸着し、当該カッター部がわを上下方向揺動自在とするようにしてなるロールホルダーにおける上蓋に対し、その表面に積層状に重ね合わせ配置可能な積層壁部、および、同積層壁部から当該カッター部を超えて延伸した庇状部からなるカッター本体を有し、該積層壁部の適所に、当該ロールホルダーの上蓋に固着可能な固着機構を設け、該積層壁部を、当該上蓋表面に該固着機構を介して積層状に固定した場合に、同庇状部が、当該上蓋カッター部より、少なくとも５ないし６ｃｍ延伸した長さ寸法に設定し、その遊端縁に、当該ロールホルダーカッター部幅と略同等に設定した新設カッター部を設けてなるものとしたことを特徴とするロールホルダー用追加型カッター。
【請求項５】
固着機構が、左右分割型であって、夫々の外郭寸法が、積層壁部の面積内に収まる平板状とした可塑性装着板からなり、各可塑性装着板の積層壁部との接合面範囲、および、各可塑性装着板の対象上蓋裏面との接合面範囲の夫々に、容易に剥離可能な被覆膜を有する接着層を設けるか、容易に剥離可能な被覆膜を有する両面粘着テープを添付するか、または、各接合面範囲に塗布可能なチューブ入りの接着剤を添付したものとするかの何れか１つとし、必須となる各部品を同梱するよう包装してなるものとした、請求項１ないし４何れか一項記載のロールホルダー用追加型カッター。
【請求項６】
固着機構が、左右分割型であって、夫々の外郭寸法が、積層壁部の面積内に収まる平板状とした可塑性装着板からなり、各可塑性装着板の積層壁部との接合面範囲、および、各可塑性装着板の対象上蓋裏面との接合面範囲の夫々に、容易に剥離可能な被覆膜を有する接着層を設けるか、容易に剥離可能な被覆膜を有する両面粘着テープを添付するか、または、各接合面範囲に塗布可能なチューブ入りの接着剤を添付したものとするかの何れか１つとし、該積層壁部の左右固着機構装着範囲に、夫々固着機構の貼着範囲表示部を設け、必須となる各部品を同梱するよう包装してなるものとした、請求項１ないし４何れか一項記載のロールホルダー用追加型カッター。
【請求項７】
カッター本体が、ロールホルダー上蓋表面に積層状に重ね合わせるがわとなる裏面壁の、積層壁部と庇状部との境界線上に、ロールホルダー上蓋カッター部に位置合わせ可能とする位置決め目標線を表示してなるものとした、請求項１ないし６何れか一項記載のロールホルダー用追加型カッター。
【請求項８】
積層壁部が、ロールホルダー上蓋と積層状に組合せる裏面とは反対がわとなる表面の適所に、カード類の差し立てを可能とするスリット部、および、カード類を装着可能な額縁部の少なくとも何れか一方を設けてなる、請求項１ないし７何れか一項記載のロールホルダー用追加型カッター。                                                                                              
【考案の詳細な説明】
【技術分野】
【０００１】
この考案は、ロール型シート状製品を保持するロールホルダーに関連するものであって、特に、ロールホルダー用の後付け部品類を製造、提供する分野をはじめとし、その包装、輸送、保管、組み立ておよび設置に必要となる設備、器具類を提供、販売する分野から、それら資材や機械装置、部品類に必要となる素材、例えば木材、石材、各種繊維類、プラスチック、各種金属材料等を提供する分野、それらに組み込まれる電子部品やそれらを集積した制御関連機器の分野、各種計測器の分野、当該設備、器具を動かす動力機械の分野、そのエネルギーとなる電力やエネルギー源である電気、オイルの分野といった一般的に産業機械と総称されている分野、更には、それら設備、器具類を試験、研究したり、それらの展示、販売、輸出入に係わる分野、将又、それらの使用の結果やそれを造るための設備、器具類の運転に伴って発生するゴミ屑の回収、運搬等に係わる分野、それらゴミ屑を効率的に再利用するリサイクル分野などの外、現時点で想定できない新たな分野までと、関連しない技術分野はない程である。                                                                              
【背景技術】
【０００２】
（着目点）
一般的なロールホルダーといえば、例えば、図６に示すように、建築物室内壁面などに木ネジなどで固定可能なホルダー本体Ａに、ロールペーパーＤの筒状芯部分を水平状且つ回転自在に軸支可能な装着軸Ｃと、同装着軸Ｃに装着したロールペーパーＤの上がわを開閉自在に覆うよう、該ホルダー本体Ａに基端Ｂ３が軸着した曲面板状体であって、その遊端縁Ｂ４に、引き出したロールペーパーＤの中途部分を裁断可能なカッター部Ｂ５を形成してなる上蓋Ｂとを有するようにしたものであり、利用に際しては、該上蓋ＢでロールペーパーＤの外周面を抑えて、同上蓋Ｂカッター部Ｂ５を境に、ロールペーパーＤの引き出した部分Ｄ０を引き上げるようにして裁断することとなるが、こうした裁断後に残されたロールペーパーＤの切断残部端Ｄ１は、該上蓋Ｂの下がわに隠れてしまうことが多く、新たにロールペーパーＤ残部端Ｄ１を引き出そうとする場合には、必ず該上蓋Ｂカッター部Ｂ５近傍となる遊端縁Ｂ４がわに手指を掛け、上方に持ち上げるようにしてロールペーパーＤの切断残部端Ｄ１を摘み出すようにしなければならず、遊端縁Ｂ４は、通常、硬質で鋭利なカッター部Ｂ５に形成されているから触れると痛かったり、不快な感触を受けることがあったりする上、うっかり強く触れてしまうと思わぬ傷を負ってしまう虞もあるために強く触れないよう注意しなければならず、また、ロールペーパーＤ残部端Ｄ１を引き出す際、紙質によっては同ロールペーパーＤ外周面に密着状となっていて、なかなか見つけ出すことができず、同ロールペーパーＤを何度も回転させながら探さなければならないことも頻繁に発生し、やっと見つけ出したロールペーパーＤ残部端Ｄ１も、今度は、なかなか摘むみ出せず、その煩わしさに辟易してしまうことがあった。
【０００３】
（従来の技術）
こうした状況を反映し、その打開策となるような提案もこれまでに散見されない訳ではない。
例えば、下記の特許文献１（１）および１（２）に提案されているものに代表されるもののように、上蓋の先端部に、先端部が凸型をなしてロールペーパーの外周面に圧接するようにしたカッター部品の基部を装着し、引き出して切断したロールペーパーの残部端を下向き凸形にして、切断縁形状の美観を高めると共に、次回引き出す際の掴み易さを高めるようにしたものや、同特許文献１（３）および１（４）に見られるような、上蓋の先端部に装着し、引き出したロールペーパー端を、左右何れか一方か、上方位置に配してあるカッター部に向けるよう所定の向きに折り、ロールペーパー中途部の切断目標箇所を、該カッター部に押し当てて引くよう操作して切断可能なものとし、ロールペーパーの残部端が、その自重によって該カッター部よりも下方に、垂れ下がるようにし、次回引き出す際の掴み易さを高めたものなどが散見される。
【０００４】
前者特許文献１（１）および１（２）に示されているような従前からのカッター部品類は、ロールホルダー上蓋のカッター部付近に装着することにより、該カッター部を延長するようにはしてあるものの、それらカッター部品類のカッター部分が、ロールペーパーの外周面に圧接状となってしまうことから、引き出して切断したロールペーパーの残部端が、当該カッター部品とロールペーパー外周面との間に挟み込まれた状態となり、ロールペーパーの残部端を引き出すには、当該カッター部品類およびロールホルダー上蓋を、上方に開放操作しなければならず、その操作には、必ず両手を要するものであって片手で簡単に操作できるものではなく、また、後者特許文献１（３）および１（４）のような切断具類は、ロールホルダー上蓋の本来のカッター部の位置とは異なる変則的な位置および姿勢のカッター部を新たに設けるものとしてあるから、初めて使用する場合には、正しく操作できるようになるまで手間取ってしまうことが予想され、正しく利用できなかった場合には、反って使い難いものになってしまうという課題を残すものであった。                      
【特許文献１】（１）特開２０１３−６６６７３号公報    （２）実用新案登録第３１３３６７０号公報    （３）特開２０１２−５０８０１号公報    （４）特許第３５７８７４３号公報
【考案の概要】
【考案が解決しようとする課題】
【０００５】
（問題意識）
上述したとおり、従前までに提案のあるロールホルダーの上蓋に装着する各種切断具類は、そのカッター部分が、ロールペーパー切断残部端を抑え込むような状態に覆い隠してしまっていて、次回、同残部端を引き出そうとする際には、切断具類を含む上蓋を持ち上げてロールペーパーを露出させて残部端を摘むか、同残部端が見つからないような場合には、ロールペーパーを回転させ、密着状に巻き付いた残部端を探し出し、剥がすように摘んで引き出すといった面倒な操作をしなければならないものであったり、また、それら上蓋遊端の左右がわや上がわなどにカッター部を配してなる切断具類は、初めて使う場合に、使用方法を理解するのに手間取ってしまい、反って不便なものとなってしまう虞があるなど、夫々に課題を残すものとなっており、ロールホルダーの上蓋に対し、工具類を使用せずに、誰でも容易に組み込むことができ、しかも、誰でも一目で使用方法が判り、初めての利用であっても迷うことなく円滑に利用できるものとし、使用後のロールペーパー残部端が、ロールホルダーの上蓋よりも下がわに確実且つ充分な長さのものとして垂れ下がり、次の利用に際しては、垂下しているロールペーパー残部端を簡単に目視して容易に掴み、引き出して切断することができる上、ロールホルダー上蓋への組込み前の部品状態にあっては、店頭や自動販売機に陳列可能な形状および寸法とし、多様な販売形態を可能とし、さらに、組み込み対象となるロールホルダーに、インテリアとしての他の機能を追加して商品価値を高めたものにするといった新たな技術の創出にも繋げられる可能性に着目し、今回の新技術開発に至ったものである。
【０００６】
（考案の目的）
そこで、この考案は、誰でも簡単にロールホルダーに組み込むことができる上に、初めての利用であっても一目で使用法を理解し、迷うことなく円滑に利用することができ、しかも部品として販売する場合に、什器への吊り下げや自動販売機への陳列が可能である上、従前からの一般的に設置されるロールホルダーに簡単に組み込んだ上、好みに合致するインテリアとしての利用も可能にするようにした機能などを追加することができるようになる新たなロールホルダーの追加部品技術の開発ができないものかとの判断から、逸速くその開発、研究に着手し、長期に渡る試行錯誤と幾多の試作、実験とを繰り返してきた結果、今回、遂に新規な構造のロールホルダー用追加型カッターを実現化することに成功したものであり、以下では、図面に示すこの考案を代表する実施例と共に、その構成を詳述することとする。                                                                                                          
【課題を解決するための手段】
【０００７】
（考案の構成）
図面に示してあるこの考案を代表する実施例からも明確に理解されるように、この考案のロールホルダー用追加型カッターは、基本的に次のような構成から成り立っている。
即ち、基端をロールペーパー用装着軸上がわに軸着し、当該カッター部がわを上下方向揺動自在とするようにしてなるロールホルダーにおける上蓋に対し、その表面に積層状に重ね合わせ配置可能な積層壁部、および、同積層壁部から当該カッター部を超えて延伸した庇状部からなるカッター本体を有し、該積層壁部の適所に、当該ロールホルダーの上蓋に固着可能な固着機構を設け、該積層壁部を、当該上蓋表面に該固着機構を介して積層状に固定した場合に、同庇状部が、少なくとも当該装着軸に装着した場合の対象ロールペーパー使用開始時の水平最大半径位置上か、または、それよりも外がわの位置に達する水平姿勢長寸法に設定し、その遊端縁に、当該ロールホルダーカッター部幅と略同等に設定した新設カッター部を設けてなるものとした構成を要旨とするロールホルダー用追加型カッターである。
【０００８】
この基本的な構成からなるロールホルダー用追加型カッターは、換言するならば、遊端縁がカッター部を形成する上蓋の基端を、ロールペーパー用装着軸上がわに軸着すると共に、当該カッター部がわを上下方向揺動自在とするようにしてなるロールホルダーの、該上蓋のロールペーパーとの接触がわである裏面とは反対がわに位置する表面に積層状に重ね合わせ配置可能な積層壁部、および、同積層壁部から当該カッター部を超えて延伸した庇状部からなるカッター本体を有し、該積層壁部の適所に、当該ロールホルダーの上蓋に固着可能な固着機構を設け、該積層壁部を、当該上蓋表面に該固着機構を介して積層状に固定した場合に、同庇状部が、少なくとも当該装着軸に装着した場合の対象ロールペーパー使用開始時の水平最大半径位置上か、または、それよりも外がわの位置に達する水平姿勢長寸法に設定し、その遊端縁に、当該ロールホルダーカッター部幅と略同等に設定した新設カッター部を設けるようにした構成を要旨とするロールホルダー用追加型カッターということができる。
【０００９】
さらに表現を変えて示すならば、基端をロールペーパー用装着軸上がわに軸着し、当該カッター部がわを上下方向揺動自在とするようにしてなるロールホルダーにおける上蓋に対し、その表面に積層状に重ね合わせ配置可能な積層壁部、および、同積層壁部から当該カッター部を超えて延伸した庇状部からなるカッター本体を有し、該積層壁部の適所に、当該ロールホルダーの上蓋に固着可能な固着機構を設け、該積層壁部を、当該上蓋表面に該固着機構を介して積層状に固定した場合に、同庇状部が、少なくとも当該装着軸に装着した場合の対象ロールペーパー使用開始時の水平最大半径位置上を超える水平姿勢長寸法に設定し、その遊端縁に、当該ロールホルダーカッター部幅と略同等に設定した新設カッター部を設けてなるものとしたロールホルダー用追加型カッターとなる。
【００１０】
より具体的には、基端をロールペーパー用装着軸上がわに軸着し、当該カッター部がわを上下方向揺動自在とするようにしてなるロールホルダーにおける上蓋に対し、その表面に積層状に重ね合わせ配置可能な積層壁部、および、同積層壁部から当該カッター部を超えて延伸した庇状部からなるカッター本体を有し、該積層壁部の適所に、当該ロールホルダーの上蓋に固着可能な固着機構を設け、該積層壁部を、当該上蓋表面に該固着機構を介して積層状に固定した場合に、同庇状部が、当該上蓋カッター部より、少なくとも５ないし６ｃｍ延伸した長さ寸法に設定し、その遊端縁に、当該ロールホルダーカッター部幅と略同等に設定した新設カッター部を設けてなる構成としたロールホルダー用追加型カッターとなる。                                                                                                              
【考案の効果】
【００１１】
以上のとおり、この考案のロールホルダー用追加型カッターによれば、従前までのものとは違い、上記したとおりの固有の特徴ある構成から、誰でも簡単に且つ短時間の中にロールホルダーの上蓋に、簡便に組み込むことができ、装着対象のロールホルダー上蓋の遊端がわに、新設カッター部を有する庇状部を延出した形状としたから、初めての利用であっても一目でその使用方法を理解し、迷うことなくロールペーパーを装着軸にセットし、引き出して切断するとう操作を簡単・円滑に行うことができるという秀でた特徴が得られるものである。
【００１２】
加えて、カッター本体庇状部が、少なくとも当該装着軸に装着した場合の対象ロールペーパー使用開始時の水平最大半径位置上か、または、それよりも外がわの位置に達する水平姿勢長寸法に設定したもの、また、少なくとも当該装着軸に装着した場合の対象ロールペーパー使用開始時の水平最大半径位置上を超える水平姿勢長寸法に設定したもの、さらにまた、該上蓋カッター部より、少なくとも５ないし６ｃｍ延伸した長さ寸法に設定したものの何れか１つとしたものは、該庇状部遊端縁の新設カッター部により、切断した対象ロールペーパーの切断残部がわ端が、確実に同ロールペーパーの外周面から垂れ下がり、次回、使用する際に、同ロールペーパーの残部がわ端部を探したり、密着状となってなかなか掴めなかったりする従来までの欠点を悉く解消し、格段に快適且つ軽快に利用することができるという利点が得られものとなる。
【００１３】
さらに、固着機構を左右分割型とし、夫々の外郭寸法が、積層壁部の面積内に収まる平板状とした可塑性装着板からなり、各可塑性装着板の必要箇所に、容易に剥離可能な被覆膜を有する接着層を設けるか、容易に剥離可能な被覆膜を有する両面粘着テープを添付するか、または、各接合面範囲に塗布可能なチューブ入りの接着剤を添付したものとするかの何れか１つとし、必須となる各部品を同梱するよう包装してなるものとすることにより、店頭販売用の、什器への吊り下げや積み重ね、ロッカー型自動販売機への陳列など、様々な販路の拡大に繋げることを可能にする効果が期待できるものとなる。
【００１４】
そして、カッター本体積層壁部の左右固着機構装着範囲に、夫々固着機構の貼着範囲表示部を設け、また、カッター本体が、ロールホルダー上蓋表面に積層状に重ね合わせるがわとなる裏面壁の、積層壁部と庇状部との境界線上に、ロールホルダー上蓋カッター部に位置合わせ可能とする位置決め目標線を表示してなるものとしたものは、初めての組立て作業であっても、迷ったり、誤ったりすることなく、誰でも正確に組み立てることができるから、組み見込み後の利用においても利用者皆に安定した作動が得られ、より安全で円滑な利用を実現化するものとなる。
【００１５】
また、カッター本体積層壁部が、ロールホルダー上蓋と積層状に組合せる裏面とは反対がわとなる表面の適所に、カード類の差し立てを可能とするスリット部、および、カード類を装着可能な額縁部の少なくとも何れか一方を設けてなるものは、ロールホルダー上蓋上のカッター本体積層壁部に、メッセージカードや公告、写真など様々なカード類の装着が可能となるから、メッセージスタンドやフォトフレームなどのインテリア小物としての新たな機能を付加し、一般家庭の台所やトイレなどの使用に留まらず、企業や店舗、公共施設、宿泊施設などの様々な場面での利用の可能性が広がり、より市場を拡大できるという大きな効果を奏するものとなる。                                                                                            
【考案を実施するための最良の形態】
【００１６】
上記したとおりの構成からなるこの考案の実施に際し、その最良もしくは望ましい形態について説明を加えることにする。
カッター本体は、この考案のロールホルダー用追加型カッターの主要な本体部分を形成し、装着対象となるロールホルダーの上蓋の適所に、積層状に装着し、新設カッター部を所望の位置に支持して利用可能とする機能を担い、積層壁部、庇状部およびその新設カッター部からなるものとしなければならず、その積層壁部の適所には、固着機構を簡便に設けることができるものとすべきであり、金属製、合成樹脂製、ガラス繊維強化樹脂製、炭素繊維強化樹脂製など、従来型のロールホルダー上蓋と同等か、または、それ以上の耐久強度を有するものとするのが望ましい。
【００１７】
カッター本体の積層壁部は、装着対象となるロールホルダー上蓋の適所に、積層状に装着し、その遊端がわに配する庇状部およびその新設カッター部を、片持ち梁板状に充分な強度をもって支持可能とする機能を担い、当該上蓋の左右幅と同等か、それ以下かの何れかの外幅寸法に規制し、充分な強度を持って該庇状部およびその新設カッター部を支持可能な剛性を有するものとしなければならず、板状、枠状、棒状、網状など何様々な形状のものとすることが可能であり、耐久性に秀れた金属板からなるものとすることができる外、製造コストや加工性などを考慮すると、後述する実施例に示すように、庇状部と一体化した合成樹脂成形品とするのが望ましい。
【００１８】
加えて、積層壁部は、固着機構の接合面範囲に、容易に剥離可能な被覆膜を有する接着層を設けるか、容易に剥離可能な被覆膜を有する両面粘着テープを添付するか、または、各接合面範囲に塗布可能なチューブ入りの接着剤を添付したものとするかの何れか１つとし、必須となる各部品と同梱するよう包装してなるものとすることが可能であり、また、該積層壁部の左右固着機構装着範囲に、夫々固着機構の貼着範囲表示部を設けたものとすることができ、さらにまた、装着対象ロールホルダー上蓋表面に積層状に重ね合わせるがわとなる壁面の、積層壁部と庇状部との境界線上に、同装着対象ロールホルダー上蓋カッター部に位置合わせ可能とする位置決め目標線を表示してなるものとすることが可能である外、ロールホルダー上蓋と積層状に組合せる裏面とは反対がわとなる表面の適所に、カード類の差し立てを可能とするスリット部、および、カード類を装着可能な額縁部の少なくとも何れか一方を設けてなるものとすることができる。
【００１９】
固着機構は、積層壁部を装着対象となるロールホルダーの上蓋の適所に、充分な強度を持って固着可能とする機能を担い、誰でも簡単に積層壁部を対象上蓋に取り付け可能なものとすべきであり、ネジやボルト・ナット、バックル金具、クリップ金具など様々な留め具としたり、接着剤や粘着剤、粘着テープ、粘着シートなどを挟み込み、結合可能としたものとしたりすることが可能であり、さらに利便性を考慮すると、積層壁部に一体化可能とし、素手でも簡単に折り曲げ加工可能な可塑性装着板からなり、該可塑性装着板の左右端を、対象上蓋の左右縁に嵌合するよう折り曲げ装着可能なものとすることができ、さらにまた、後述する実施例に示すように、左右分割型であって、夫々の外郭寸法が、積層壁部の面積内に収まる平板状とした可塑性装着板からなり、各可塑性装着板の積層壁部との接合面範囲、および、各可塑性装着板の対象上蓋裏面との接合面範囲の夫々に、容易に剥離可能な被覆膜を有する接着層を設けるか、容易に剥離可能な被覆膜を有する両面粘着テープを添付するか、または、各接合面範囲に塗布可能なチューブ入りの接着剤を添付したものとするかの何れか１つとすることができる。
【００２０】
貼着範囲表示部は、積層壁部の固着機構装着範囲を、視認可能とするよう明確に表示可能とし、それを目標に、固着機構を正確な位置に位置決め装着可能とする機能を担い、印刷面、プリント面、着色面、表示テープ貼着部、表示シール貼着部、点線状や破線状に配列した多数の凸部または凹部、線状に配した凸条部または凹条部、凸面状部、凹面状部、またはそれらの組合せなどからなるものとすることができ、該貼着範囲表示部に粘着剤層を設け、該粘着剤層に剥離紙などを被着し、剥離紙を剥がして固着機構を貼着固定可能なものとすることができ、後述する実施例に示すように、左右分割型の固着機構を夫々正確に装着可能とするよう、積層壁部の左右適所に夫々正確な取り付け位置目標を表示するものとすることができる。
【００２１】
位置決め目標線は、カッター本体の積層壁部と庇状部との境界線を目視可能に表示可能とし、積層壁部と庇状部との境界線上に、ロールホルダー上蓋カッター部を位置合わせ可能とする機能を担い、積層壁部と庇状部との境界線上であって対象上蓋に対峙する裏面がわに表示したものとしなければならず、印刷面、プリント面、着色面、表示テープ貼着部、表示シール貼着部、点線状や破線状に配列した多数の凸部または凹部、線状に配した凸条部または凹条部、凸面状部、凹面状部、またはそれらの組合せなどからなるものとすることができる。
【００２２】
カッター本体の庇状部は、積層壁部の遊端を延伸し、当該追加型カッターを対象ロールホルダーの上蓋に装着した場合の、上蓋カッター部を超えた適所に、新設カッター部を支持可能とする機能を担い、新設カッター部を支持するに充分な強度を有するものとし、対象上蓋に装着した場合に、同上蓋カッター部を超え、少なくとも同装着軸に装着した場合の対象ロールペーパー使用開始時の水平最大半径位置上か、または、それよりも外がわの位置に達する水平長寸法に延伸し、その遊端縁に新設カッター部を設けたものとしなければならず、また、対象上蓋カッター部を超え、少なくとも同装着軸に装着した場合の対象ロールペーパー使用開始時の水平最大半径位置上を超える水平長寸法に延伸し、その遊端縁に新設カッター部を設けたものとすることができ、さらにまた、対象上蓋カッター部より、少なくとも５ないし６ｃｍ延伸したものとすることが可能であり、積層壁部と同一の素材製か、または、他の金属や合成樹脂製のものなどとすることができ、後述する実施例に示すように、新設カッター部を斜め下方に傾斜するよう折曲または湾曲したものとするのが良い。
【００２３】
庇状部の新設カッター部は、庇状部の先端に対象ロールペーパーの切断機能を付与する機能を担い、手で軽く触れても安全な程度の形状を呈するものとし、対象ロールホルダーの上蓋に有るカッター部と略同等の切断が可能なものとしなければならず、庇状部の遊端に一体化したもの、および、別部品の刃物を装着したものの中、少なくとも何れか一方とすべきであり、鋸刃型、直線状の刃型、曲面状の刃型など、様々な形状のものとすることができ、充分な耐久性を確保できる素材製のものであれば良く、例えば、金属製や合成樹脂製などとすることができる。
【００２４】
ロールペーパーは、ロール状に巻き取られたシート状、フィルム状、テープ状、薄膜状、箔状、チューブ状、連続する多数枚の袋状物などの各種製品であるということができ、この考案の追加型カッターの装着対象となるロールホルダーに、回転自在に装着して、端部がわを引き出して切断し、各種用途に利用可能なものとすることができ、より具体的には、例えば、キッチンペーパー、アルミ箔、ロールウェス、ロール状樹脂袋、ロール状粘着テープなど、ロール紙に限定せず、ロール状に巻き取られたシート類であるということが可能であって、後述する実施例に示すように、トイレットペーパーとすることができ、ロールホルダーは、それらのロール形状および寸法に応じ、対象ロールを装着・利用可能としたものということができる。
以下では、図面に示すこの考案を代表する実施例と共に、その構造について詳述することとする。                                                                                                          
【図面の簡単な説明】
【００２５】
図面は、この考案のロールホルダー用追加型カッターの技術的思想を具現化した代表的な幾つかの実施例を示すものである。
【図１】ロールホルダー用追加型カッターを示す下面図である。
【図２】ロールホルダー用追加型カッターを示す側面図である。
【図３】包装状態のロールホルダー用追加型カッターを示す正面図である。
【図４】利用状態のロールホルダー用追加型カッターを示す側面図である。
【図５】貼着範囲表示部および位置決め目標線を表示したカッター本体を示す下面図である。
【図６】従来型ロールホルダーを示す斜視図である。
【図７】装着途中の追加型カッターを示す斜視図である。
【図８】追加型カッターの装着状態を示す斜視図である。
【図９】装着済みの追加型カッターを示す斜視図である。
【図１０】追加型カッターの他の実施例を示す斜視図である。
【図１１】追加型カッターの、さらに他の実施例を示す斜視図である。
【実施例１】
【００２６】
図１ないし図５に示してある事例は、カッター部Ｂ５を有する上蓋Ｂをロールペーパー用装着軸Ｃ上がわに軸着したロールホルダーＡの、該上蓋Ｂ表面Ｂ１に、重ね合わせ配置可能な積層壁部２、および、同積層壁部２から延伸した庇状部４からなるカッター本体１０を有し、該積層壁部２の適所に当該上蓋Ｂに固着可能な固着機構３を設け、該積層壁部２を、当該上蓋Ｂ表面Ｂ１に該固着機構３を介して積層状に固定した場合に、同庇状部４を、上蓋Ｂカッター部Ｂ５を超える水平長寸法Ｌ３に設定し、その遊端縁４０に、当該ロールホルダーＡカッター部Ｂ５幅（Ｗ）と略同等に設定した新設カッター部４１を設けてなるものとした、この考案のロールホルダー用追加型カッターにおける代表的な一実施例を示すものである。
【００２７】
それら各図から明確に把握できるとおり、この考案のロールホルダーＡ用追加型カッター１は、そのカッター本体１０が、積層壁部２および庇状部４からなる合成樹脂一体成形品であって、該積層壁部２は、装着対象となるロールホルダーＡ上蓋Ｂの表面Ｂ１（水平姿勢状態の上面）に略一致する外郭四角形状の平板部分からなり、その長さは、図４に示すように、当該上蓋Ｂの全長と略同じか、それより僅かに短い長さＬ２に設定し、同表面Ｂ１に積層状に重ね合わせ配置可能なものとし、該積層壁部２の当該上蓋Ｂの表面Ｂ１に装着する裏面２０には、左右分割型の固着機構３，３である、後述する左右一対の可塑性装着板３０，３０を固着するための左右接合面範囲２１，２１を設定し、図５に示すように、それら左右接合面範囲２１，２１の周囲に沿って左右貼着範囲表示部２２，２２をプリントまたは粘着シールの貼着などによって明確に表示したものとしてある。
【００２８】
図４に示しているように、該積層壁部２の当該対象ロールホルダーＡ上蓋Ｂ表面Ｂ１に積層状に固定した場合の遊端位置２３には、同対象上蓋Ｂ表面Ｂ１に積層状に固定した場合に、同積層壁部２遊端位置２３から、同対象上蓋Ｂカッター部Ｂ５を超え、少なくとも同装着軸Ｃに装着した場合の対象ロールペーパーＤ使用開始時の水平最大半径位置上を超える水平長寸法Ｌ３となるよう、少なくとも５ないし６ｃｍ（Ｌ３）延伸し、下向きに湾曲させた遊端縁４０に、当該ロールホルダーＡカッター部Ｂ５幅と略同等幅（図３中の寸法Ｗ）に設定した新設カッター部４１を一体成形し、当該積層壁部２および庇状部４の長さの合計をＬ１に設定した上、図５に示すように、該裏面２０の当該積層壁部２（図４中の寸法Ｌ２）および庇状部４（図４中の寸法Ｌ３）の境界線上に、位置決め目標線２４をプリントまたは粘着シールの貼着などによって明確に表示したものとしてある。
【００２９】
同図１ないし図５に示すように、左右分割型の固着機構３，３は、夫々の最大外郭寸法Ｌ４が、例えば、当該積層壁部２の左右間幅寸法Ｗ内に収まり、同積層壁部２の面積内に収まる帯型平板状とし、手で簡単に折り曲げることができる程度の厚さに設定したアルミニウム板製またはステンレス板製の可塑性装着板３０，３０からなり、各可塑性装着板３０，３０の積層壁部２との接合面範囲３１、および、各可塑性装着板３０，３０の対象上蓋Ｂ裏面Ｂ２との接合面範囲３２の夫々に、容易に剥離可能な剥離紙を装着した両面粘着テープ（何れも図示せず）を添付してなるものとした上、図３に示すように、透明樹脂製包装袋６に必須となる各部品（２，３，４）、および、図示しない取扱説明書などを同梱するよう包装してなるものとすることができる。
【００３０】
加えて、図１０に示すように、当該積層壁部２の表面２５の適所に、カード５類の差し立てを可能とする平行凸条型のスリット部２６を設けたものとすることができる外、図１１に示すように、同積層壁部２の表面２５の適所に、カード５類を装着可能な額縁部２７を一体に設けたものとすることができる。
【００３１】
（実施例１の作用・効果）
図１ないし図５に示す、この考案のロールホルダーＡ用追加型カッター１は、図３に示すように、各可塑性装着板３０，３０（固着機構３，３）の長さ寸法Ｌ４を、カッター本体１０（積層壁部２）の幅寸法Ｗ内に留め、２枚の金属板製可塑性装着板３０，３０が、カッター本体１０の寸法範囲内に収まる形状および寸法としたから、必須となるカッター本体１０および可塑性装着板３０，３０を、１個の透明樹脂製包装袋６に包装して販売することができ、店舗の什器に吊り下げたり、積み重ねたり、または、ロッカー型自動販売機などに収容して販売することができるものとなる。
【００３２】
図６に示す事例のロールホルダーＡに装着する場合は、図５のとおり、カッター本体１０積層壁部２裏面２０の左右に夫々設定してある貼着範囲表示部２２，２２を目標に、各可塑性装着板３０，３０の表面対応ヵ所（接合面範囲３１，３１）に貼着してある剥離紙を剥がして両面粘着テープ粘着面を露出させ（何れも図示せず）、図１および図２に示すように、貼着して強固に一体化させた上、各可塑性装着板３０，３０の裏面がわ全面の（接合面範囲３２，３２）の剥離紙を剥がして両面粘着テープ粘着面を露出させ（何れも図示せず）、図４、図５、図７ないし図９に示しているように、カッター本体１０裏面の位置決め目標線２４をロールホルダーＡ上蓋Ｂカッター部Ｂ５の位置に一致するよう位置決めし、強固に一体化するよう積層状に圧着すると共に、図７および図８のとおり、左右に突出する各可塑性装着板３０，３０端部がわを、その可撓性を利用してロールホルダーＡ上蓋Ｂ裏面Ｂ２がわに塑性変形させるよう折り畳み、同図８および図９に示すように、該上蓋Ｂ裏面Ｂ２に積層状に密着するよう圧着・固定したものとし、誰でも工具類を一切必要とせず、取付け位置を迷ったり、組み立て手順を誤ったりすることなく、簡便・迅速且つ正確に組み立てることができる。
【００３３】
図４に例示するとおり、この考案の追加型カッター１を装着したロールホルダーＡを利用する場合には、該ロールホルダーＡ装着軸Ｃに回転自在に装着したロールペーパーＤの端部Ｄ０を、同図４中の破線矢印に示すように、引き出し、同ロールペーパーＤの引き出した中途部分を該庇状部４新設カッター部４１に、押し当てるよう引き上げて切断するよう操作するだけで、切断残部端Ｄ１の、同図４中の寸法Ｌ３の長さ分が、重力を受けて垂れ下がり、次回、ロールペーパーＤの切断残部端Ｄ１を掴み、引き出す作業を格段に円滑に行えるようになる。
【００３４】
加えて、図１０および図１１に示しているように、カッター本体１０積層壁部２が、ロールホルダーＡ上蓋Ｂと積層状に組み合せる裏面２０とは反対がわとなる表面２５の適所に、カード類の差し立てを可能とするスリット部２６、および、カード類を装着可能な額縁部２７の少なくとも何れか一方を設けてなるようにしたものは、誰でも簡単に、該スリット部２６にメッセージカード５を差し立てたり、該額縁部２７に写真５を差し込んだりして、カードスタンドやフォトフレームなどといったインテリアとしての機能を備えたものとすることができるから、従前までに提案のあるものとは全く異なり、より多彩な利用を実現化することができるものになるという利点が得られる。
【００３５】
（結  び）
叙述の如く、この考案のロールホルダー用追加型カッターは、その新規な構成によって所期の目的を遍く達成可能とするものであり、しかも製造も容易で、従前からのロールホルダー用のカッター部品技術に比較して、各部品を軽量・コンパクト化して格段に陳列販売に適したものとし、従来品より一段と低廉化し、工具類を使用せずに、誰にでも簡単に対象となるロールホルダーに取り付け可能とし、その取付け強度を大幅に高め、遥かに経済的なものとすることができる上、ロールペーパーを格段に容易に引き出し、切断できるよう改善したから、従来型のロールホルダー、および、それらに組み込むカッター部品類に不満を持っていた一般家庭や一般企業はもとより、こうした市場ニーズに応えようとするインテリア業界、建築業界、ホームセンター業界、および、企業施設や公共施設、宿泊施設などの各種建築物の管理業界などにおいても高く評価され、広範に渡って利用、普及していくものになると予想される。                                                                                      
【符号の説明】
【００３６】
Ａ      ロールホルダー
Ｂ      上蓋
Ｂ１    同  表面
Ｂ２    同  裏面
Ｂ３    同  基端
Ｂ４    同  遊端縁
Ｂ５    同  カッター部
Ｃ      ロールペーパーＤ用の装着軸
Ｄ      ロールペーパー
Ｄ０    同  端部
Ｄ１    同  切断残部端
１      ロールホルダー用追加型カッター
１０    同  カッター本体
２      積層壁部
２０    同  裏面
２１    同  固着機構３との接合面範囲
２２    同  貼着範囲表示部
２３    同  遊端
２４    同  位置決め目標線
２５    同  表面
２６    同  スリット部
２７    同  額縁部
３      固着機構
３０    同  可塑性装着板
３１    同  積層壁部２との接合面範囲
３２    同  上蓋Ｂ裏面Ｂ２との接合面範囲
４      庇状部
４０    同  遊端縁
４１    同  新設カッター部
５      カード類
６      透明樹脂製包装袋
Ｌ１      カッター本体の全長
Ｌ２      上蓋Ｂの長さ（積層壁部２の長さ）
Ｌ３      庇状部４の長さ
Ｌ４      固着機構３の長さ
Ｗ      新設カッター部４１（カッター本体１０、積層壁部２）の左右間幅寸法                                                                                          
【図１】
0003193234.tif 000003
【図２】
0003193234.tif 000004
【図３】
0003193234.tif 000005
【図４】
0003193234.tif 000006
【図５】
0003193234.tif 000007
【図６】
0003193234.tif 000008
【図７】
0003193234.tif 000009
【図８】
0003193234.tif 000010
【図９】
0003193234.tif 000011
【図１０】
0003193234.tif 000012
【図１１】
0003193234.tif 000013
【手続補正書】
【提出日】平成26年7月24日(2014.7.24)
【手続補正１】
【補正対象書類名】実用新案登録請求の範囲
【補正対象項目名】全文
【補正方法】変更
【補正の内容】
【実用新案登録請求の範囲】
【請求項１】
基端をロールペーパー用装着軸上がわに軸着し、カッター部がわを上下方向揺動自在とするようにしてなるロールホルダーにおける上蓋に対し、その表面に積層状に重ね合わせ配置可能な積層壁部、および、同積層壁部から当該カッター部を超えて延伸した庇状部からなるカッター本体を有し、該積層壁部の適所に、当該ロールホルダーの上蓋に固着可能な固着機構を設け、該積層壁部を、当該上蓋表面に該固着機構を介して積層状に固定した場合に、同庇状部が、少なくとも当該装着軸に装着した場合の対象ロールペーパー使用開始時の水平最大半径位置上か、または、それよりも外がわの位置に達する水平姿勢長寸法に設定し、その遊端縁に、当該ロールホルダーカッター部幅と略同等に設定した新設カッター部を設けてなるものとしたことを特徴とするロールホルダー用追加型カッター。
【請求項２】
遊端縁がカッター部を形成する上蓋の基端を、ロールペーパー用装着軸上がわに軸着すると共に、当該カッター部がわを上下方向揺動自在とするようにしてなるロールホルダーの、該上蓋のロールペーパーとの接触がわである裏面とは反対がわに位置する表面に積層状に重ね合わせ配置可能な積層壁部、および、同積層壁部から当該カッター部を超えて延伸した庇状部からなるカッター本体を有し、該積層壁部の適所に、当該ロールホルダーの上蓋に固着可能な固着機構を設け、該積層壁部を、当該上蓋表面に該固着機構を介して積層状に固定した場合に、同庇状部が、少なくとも当該装着軸に装着した場合の対象ロールペーパー使用開始時の水平最大半径位置上か、または、それよりも外がわの位置に達する水平姿勢長寸法に設定し、その遊端縁に、当該ロールホルダーカッター部幅と略同等に設定した新設カッター部を設けてなるものとしたことを特徴とするロールホルダー用追加型カッター。
【請求項３】
基端をロールペーパー用装着軸上がわに軸着し、カッター部がわを上下方向揺動自在とするようにしてなるロールホルダーにおける上蓋に対し、その表面に積層状に重ね合わせ配置可能な積層壁部、および、同積層壁部から当該カッター部を超えて延伸した庇状部からなるカッター本体を有し、該積層壁部の適所に、当該ロールホルダーの上蓋に固着可能な固着機構を設け、該積層壁部を、当該上蓋表面に該固着機構を介して積層状に固定した場合に、同庇状部が、少なくとも当該装着軸に装着した場合の対象ロールペーパー使用開始時の水平最大半径位置上を超える水平姿勢長寸法に設定し、その遊端縁に、当該ロールホルダーカッター部幅と略同等に設定した新設カッター部を設けてなるものとしたことを特徴とするロールホルダー用追加型カッター。
【請求項４】
基端をロールペーパー用装着軸上がわに軸着し、カッター部がわを上下方向揺動自在とするようにしてなるロールホルダーにおける上蓋に対し、その表面に積層状に重ね合わせ配置可能な積層壁部、および、同積層壁部から当該カッター部を超えて延伸した庇状部からなるカッター本体を有し、該積層壁部の適所に、当該ロールホルダーの上蓋に固着可能な固着機構を設け、該積層壁部を、当該上蓋表面に該固着機構を介して積層状に固定した場合に、同庇状部が、当該上蓋カッター部より、少なくとも５ないし６ｃｍ延伸した長さ寸法に設定し、その遊端縁に、当該ロールホルダーカッター部幅と略同等に設定した新設カッター部を設けてなるものとしたことを特徴とするロールホルダー用追加型カッター。
【請求項５】
固着機構が、左右分割型であって、夫々の外郭寸法が、積層壁部の面積内に収まる平板状とした可塑性装着板からなり、各可塑性装着板の積層壁部との接合面範囲、および、各可塑性装着板の対象上蓋裏面との接合面範囲の夫々に、容易に剥離可能な被覆膜を有する接着層を設けるか、容易に剥離可能な被覆膜を有する両面粘着テープを添付するか、または、各接合面範囲に塗布可能なチューブ入りの接着剤を添付したものとするかの何れか１つとし、それら各部品を同梱するよう包装してなるものとした、請求項１ないし４何れか一項記載のロールホルダー用追加型カッター。
【請求項６】
固着機構が、左右分割型であって、夫々の外郭寸法が、積層壁部の面積内に収まる平板状とした可塑性装着板からなり、各可塑性装着板の積層壁部との接合面範囲、および、各可塑性装着板の対象上蓋裏面との接合面範囲の夫々に、容易に剥離可能な被覆膜を有する接着層を設けるか、容易に剥離可能な被覆膜を有する両面粘着テープを添付するか、または、各接合面範囲に塗布可能なチューブ入りの接着剤を添付したものとするかの何れか１つとし、該積層壁部の左右固着機構装着範囲に、夫々固着機構の貼着範囲表示部を設け、それら各部品を同梱するよう包装してなるものとした、請求項１ないし４何れか一項記載のロールホルダー用追加型カッター。
【請求項７】
カッター本体が、ロールホルダー上蓋表面に積層状に重ね合わせるがわとなる裏面壁の、積層壁部と庇状部との境界線上に、ロールホルダー上蓋カッター部に位置合わせ可能とする位置決め目標線を表示してなるものとした、請求項１ないし６何れか一項記載のロールホルダー用追加型カッター。
【請求項８】
積層壁部が、ロールホルダー上蓋と積層状に組合せる裏面とは反対がわとなる表面の適所に、カード類の差し立てを可能とするスリット部、および、カード類を装着可能な額縁部の少なくとも何れか一方を設けてなる、請求項１ないし７何れか一項記載のロールホルダー用追加型カッター。